(57)【要約】【課題】  色座標を補正し、色温度特性を向上させたＰＤＰを提供すること。【解決手段】放電セルを長方形に形成させ、その長さ方向で隣接するセル間を隔離させる縦隔壁と、さらに縦隔壁の間の放電セルを個々のセルに分離する横隔壁とを設け、その横隔壁の幅を色ごとに異なるようにした。すなわち、赤色放電セルを分離する横隔壁の厚さを最大に、青色放電セルを分離する横隔壁の厚さを最小とした。【選択図】図４
2005197260.tif 000002
【特許請求の範囲】
【請求項１】
赤色、緑色、青色放電セルをその長さの方向で分離するための縦隔壁と、前記縦隔壁の間に形成され、前記赤色、緑色、青色放電セルをそれぞれの放電セルごとにセルの幅の方向で分離するための横隔壁を有し、前記横隔壁は前記赤色放電セルの間に形成される第１横隔壁と、前記緑色放電セルの間に形成される第２横隔壁と、前記青色放電セルの間に形成される、前記第１及び第２横隔壁より小さな幅を持つ第３横隔壁とを備えていることを特徴とするプラズマディスプレイパネル。 
【請求項２】
前記第１横隔壁の幅は前記第２横隔壁の幅より大きいことを特徴とする請求項１記載のプラズマディスプレイパネル。 
【請求項３】
前記縦隔壁は前記赤色、緑色、青色放電セルのそれぞれの長さ方向のピッチが同一に形成されることを特徴とする請求項１記載のプラズマディスプレイパネル。 
【請求項４】
前記縦隔壁は同一の幅を持つように形成されることを特徴とする請求項３記載のプラズマディスプレイパネル。 
【発明の詳細な説明】
【技術分野】
【０００１】
本発明はプラズマディスプレイパネルに関し、特に色座標の補正と色温度特性を向上させるようにしたプラズマディスプレイパネルに関する。 
【背景技術】
【０００２】
プラズマディスプレイパネル(Plasma Display Panel : 以下 "ＰＤＰ"という)はHe+Ｘe、Ne+Ｘe及びHe+Ne+Ｘeなどの不活性混合ガスの放電時に発生する１４７nmの紫外線により蛍光体を発光させることによって文字またはグラフィックを含んだ画像を表示する。このようなＰＤＰは薄膜化と大型化が容易なだけでなく最近の技術開発によって大きく向上した画質を提供することができるようになった。特に、３電極交流面放電型ＰＤＰは放電の時に表面に璧電荷を蓄積させ、放電により発生するスパッタリングから電極を保護するようにしているので低電圧駆動と長寿命の長所を持つ。
【０００３】
図１を参照すると、３電極交流面放電型ＰＤＰの放電セルは上部基板１０上に形成されたスキャン電極(Ｙ)及びサステイン電極(Ｚ)と、下部基板１８上に形成されたアドレス電極(Ｘ)とを具備する。
【０００４】
スキャン電極(Ｙ)は第１透明電極(１２Ｙ)と、第１透明電極(１２Ｙ)の上に形成された第１バス電極(１３Ｙ)とを具備する。サステイン電極(Ｚ)は第２透明電極(１２Ｚ)と、第２透明電極(１２Ｚ)の上に形成された第２バス電極(１３Ｚ)とを具備する。 
第１及び第２透明電極(１２Ｙ，１２Ｚ)は放電セルから供給される光を透過させるために透明物質で形成される。第１及び第２透明電極(１２Ｙ，１２Ｚ)の上には金属物質で形成された第１及び第２バス電極(１３Ｙ，１３Ｚ)が第１及び第２透明電極(１２Ｙ，１２Ｚ)の縁に沿って形成されている。このような第１及び第２バス電極(１３Ｙ，１３Ｚ)は高い抵抗値を持つ第１及び第２透明電極(１２Ｙ，１２Ｚ)に駆動信号を供給するために利用される。 
【０００５】
第１透明電極(１２Ｙ)と第２透明電極(１２Ｚ)が並んで形成された上部基板１０には上部誘電層１４と保護膜１６が積層される。上部誘電層１４にはプラズマ放電の時に発生された璧電荷が蓄積される。保護膜１６はプラズマ放電の時に発生されたスパッタリングによる上部誘電層１４の損傷を防止すると同時に２次電子の放出效率を高くしている。保護膜１６は通常酸化マグネシウム(ＭｇＯ)が利用される。 
【０００６】
アドレス電極(Ｘ)が形成された下部基板１８上に下部誘電層２２及び隔壁２４が形成され、下部誘電層２２と隔壁２４の表面に蛍光体２６が塗布される。アドレス電極(Ｘ)は第１透明電極(１２Ｙ)及び第２透明電極(１２Ｚ)と直交する方向に形成される。隔壁２４はアドレス電極(Ｘ)と並行に形成されて放電により生成された紫外線及び可視光が隣接した放電セルに漏洩するのを防止する。 
【０００７】
蛍光体２６はプラズマ放電の時に発生された紫外線により励起されて赤色、緑色または青色のいずれか一つの可視光線を発生する。上／下部基板(１０，１８)と隔壁２４の間に形成された放電セルの放電空間にガス放電のためのHe+Ｘe、Ne+Ｘe及びHe+Ne+Ｘeなどの不活性混合ガスが注入される。 
【０００８】
このようなＰＤＰはスキャン電極(Ｙ)及びアドレス電極(Ｘ)の間の対向放電により発光させる放電セルを選択した後、スキャン電極(Ｙ)及びサステイン電極(Ｚ)の間の面放電により放電を維持する。ＰＤＰセルでは維持放電時に発生する紫外線により蛍光体２６が発光することによって可視光が放電セルの外部に放出される。この結果、放電セルを持つＰＤＰは画像を表示することができる。 
【０００９】
このような従来のＰＤＰで蛍光体２６は放電の時に発生される短い波長の真空紫外線(Vacuum UltＲaviolet : ΔＵＶ)により励起されて固有色の可視光線を発生することによって各放電セルで光の３原色である赤色、緑色、青色(Ｒ，Ｇ，Ｂ)を表示する。このようなＰＤＰでフルホワイト(Full White)の色座標は蛍光体２６の材料及び使われる不活性ガスに大きく影響を受ける。これによって、蛍光体２６は材料特性の向上が要求されると共に、隔壁内壁に均一に塗布される特性を向上させ、さらには蛍光体２６がより広い面積にわたって均一に塗布されることが要求されている。
【００１０】
そのため、蛍光体２６が塗布される隔壁は構造的に広い面積を持たなければならない。従来の図２に示されたようなストライプタイプの隔壁２４は、隔壁２４の間を遮断する構造物がなくて空気の通路が存在するので、混合ガスの注入のために放電空間を真空状態にする排気を行う時や、ガスの注入を行う時に容易であるという長所がある。反面、ストライプタイプの隔壁２４を採用したＰＤＰは蛍光体２６が塗布される面積が限定されることによって放電セル内で蛍光体２６が発光する可視光の量が少なく、高輝度特性を持たせることができず、また、放電セルが区画される領域に隔壁２４の間に形成される構造物がないので、放電セル間のガスの流路幅が広く形成されてクロストークが発生し、ＰＤＰの画素間の色干渉現象を誘発するという短所がある。 
【００１１】
このような従来のストライプタイプの隔壁２４を持つＰＤＰは、色温度特性の向上と色座標補正のために、ストライプタイプの隔壁２４の構造を非対称形態に形成している。すなわち、赤色(Ｒ)を具現する放電セルと緑色(Ｇ)を具現する放電セル及び青色(Ｂ)を具現する放電セルの面積比率を変化させて発光面積の変化で色座標を補正し、色温度特性を向上させている。通常、赤色(Ｒ)を具現する放電セルの発光輝度は緑色(Ｇ)及び青色(Ｂ)を具現する放電セルの発光輝度より高く、緑色(Ｇ)を具現する放電セルの発光輝度は青色(Ｂ)を具現する放電セルの発光輝度より高い特性を持っている。 
【００１２】
したがって、図３に示したように赤色(Ｒ)放電セル、緑色(Ｇ)放電セル、青色(Ｂ)放電セルのそれぞれを分離するための隔壁２８の間の距離(ピッチ)が青色(Ｂ)＞緑色(Ｇ)＞赤色(Ｒ)の順で異なるように形成することによってフルホワイト色座標を調整していた。これによって、青色(Ｂ)を具現する放電セルのピッチは最大の大きさを持ち、緑色(Ｇ)を具現する放電セルのピッチは青色(Ｂ)放電セルよりは小さく、赤色(Ｒ)放電セルよりは大きい大きさを持つことになる。従来はこのように、青色(Ｂ)放電セルのピッチを大きくして発光面積を対称構造に比べて大きくすることによって色座標を補正し、かつ色温度特性を向上させていた。 
【００１３】
しかし、赤色(Ｒ)、緑色(Ｇ)、青色(Ｂ)を具現する放電セルの間のピッチが非対称構造を持つＰＤＰでは、ＰＤＰの解像度が高くなることによって赤色(Ｒ)、緑色(Ｇ)、青色(Ｂ)放電セルのピッチが極く小さくなり、放電電圧の増加、動作マージン減少、輝度／效率の特性が減少するという問題点がある。 
【発明の開示】
【発明が解決しようとする課題】
【００１４】
したがって、本発明の目的は色座標を補正し、色温度特性を向上させるようにしたプラズマディスプレイパネルを提供することである。 
【課題を解決するための手段】
【００１５】
上記目的を達成するために、本発明の実施態様によるプラズマディスプレイパネルは、赤色、緑色、青色放電セルを長さ方向で分離するための縦隔壁と、その縦隔壁の間に形成されて赤色、緑色、青色放電セルを個々のセルに分離するための横隔壁を備える。横隔壁は赤色放電セルの間に形成される第１横隔壁と、緑色放電セルの間に形成される第２横隔壁と、青色放電セルの間に形成される、前記第１及び第２横隔壁より小さな幅を持つ第３横隔壁とを具備する。 
【００１６】
第１横隔壁の幅は前記第２横隔壁の幅より大きいことを特徴とする。 
【００１７】
縦隔壁は前記赤色、緑色、青色放電セルのそれぞれの横ピッチが同一に形成されることを特徴とする。 
【００１８】
縦隔壁は同一な幅を持つように形成されることを特徴とする。 
【発明の効果】
【００１９】
本発明は上記のように個々の放電セルを分離し、赤色のセルの面積を最も小さく、青色を最も小さくし、しかも、横隔壁の幅を変えることでそれを実現しているので、高精細パネルで駆動電圧と輝度／效率特性に影響を及ぼさずに色温度特性を向上させることができ、かつ色座標を補正することができる。 
【発明を実施するための最良の形態】
【００２０】
以下、図４及び図５を参照して本発明の望ましい実施形態を説明する。 
図４は本発明の実施形態に係るプラズマディスプレイパネルの斜視図で、 図５は図４に示されたプラズマディスプレイパネルで下部基板の平面図である。 
【００２１】
図４、図５を参照すると、本発明の実施形態に係るＰＤＰの放電セルは上部基板５０上に形成されたスキャン電極(Ｙ)及びサステイン電極(Ｚ)と、下部基板６８上に形成されたアドレス電極(Ｘ)とを具備する。 
【００２２】
スキャン電極(Ｙ)は第１透明電極(５２Ｙ)と、第１透明電極(５２Ｙ)の上に形成された第１バス電極(５３Ｙ)とを具備する。サステイン電極(Ｚ)は第２透明電極(５２Ｚ)と、第２透明電極(５２Ｚ)の上に形成された第２バス電極(５３Ｚ)とを具備する。 
【００２３】
第１及び第２透明電極(５２Ｙ，５２Ｚ)は放電セルから供給される光を透過させるために透明物質で形成される。第１及び第２透明電極(５２Ｙ，５２Ｚ)の上には金属物質で形成された第１及び第２バス電極(５３Ｙ，５３Ｚ)が第１及び第２透明電極(５２Ｙ，５２Ｚ)に沿って形成されている。この第１及び第２バス電極(５３Ｙ，５３Ｚ)は高い抵抗値を持つ第１及び第２透明電極(５２Ｙ，５２Ｚ)に駆動信号を供給するために利用される。
【００２４】
第１透明電極と第２透明電極(５２Ｙ，５２Ｚ)が並んで形成された上部基板には上部誘電層５４と保護膜５６が積層される。上部誘電層５４にはプラズマ放電の時に発生した璧電荷が蓄積される。保護膜５６はプラズマ放電の時に発生したスパッタリングによる上部誘電層５４の損傷を防止すると同時に２次電子の放出效率を向上させる。保護膜５６は通常酸化マグネシウム(ＭＧＯ)が利用される。 
【００２５】
アドレス電極(Ｘ)が形成された下部基板６８上には下部誘電層６２及び隔壁６４が形成されて、下部誘電層６２と隔壁６４の表面には蛍光体(図示しない)が塗布される。アドレス電極(Ｘ)は第１及び第２透明電極(５２Ｙ，５２Ｚ)と直交する方向に形成される。 
【００２６】
隔壁６４はアドレス電極(Ｘ)と並行に形成され、放電により生成された紫外線が隣接した放電セルに漏洩することを防止して、隣接した放電セル間の電気的・光学的クロストーク(CＲoss talk)を防止する役目をする。このために、隔壁６４はアドレス電極(Ｘ)と並んで形成される縦隔壁７２と、隣接した縦隔壁７２の間に形成される横隔壁７０とを具備する。
【００２７】
したがって、本実施形態の放電セルはほぼ長方形に分離されて形成されており、長さ方向に分離するための縦隔壁７２は同一の幅で同一の間隔に形成されて赤色(Ｒ)、緑色(Ｇ)、青色(Ｂ)放電セルの間の横ピッチ(Ｗ１，Ｗ２，Ｗ３)を同一とする。 
【００２８】
本実施形態では放電セルが従来のように、同じ色の放電セルが連続せずに個々のセルに分離されている。その分離するための横隔壁７０は、赤色(Ｒ)、緑色(Ｇ)、青色(Ｂ)放電セルのそれぞれで互いに異なる幅を持つように縦隔壁７２の間に形成される。この横隔壁７０は赤色放電セルの間に形成された第１幅を持つ第１横隔壁(７０a)と、緑色放電セルの間に形成された第１幅より小さな第２幅を持つ第２横隔壁(７０Ｂ)と、青色放電セルの間に形成された第２幅より小さな第３幅を持つ第３横隔壁(７０c)とを具備する。したがって、青色放電セル(Ｂ)の発光面積が一番大きくなり、緑放電セル(Ｇ)の発光面積がその次で、赤色放電セル(Ｒ)の発光面積が一番小さくなる。これによって、青色放電セル(Ｂ)は蛍光体の塗布面積が最も広くなるだけでなく放電空間も最も広くなり、青色放電セル(Ｂ)の発光輝度が上昇する。赤色(Ｒ)を具現する放電セルの発光輝度は緑色(Ｇ)や青色(Ｂ)を具現する放電セルの発光輝度より高く、緑色(Ｇ)を具現する放電セルの発光輝度は青色(Ｂ)を具現する放電セルの発光輝度より高い特性を持っているので全体的に発光輝度が均一になる。
【００２９】
蛍光体は下部誘電体層６２及び隔壁６４の表面に塗布されて赤色、緑色または青色のいずれか一つの可視光線を発生させる。上部基板５０及び下部基板６８と隔壁６４の間に形成されたガス放電空間には放電のためのHe+Ｘe、Ne+Ｘe、He+Ｘe+Neなどの不活性混合ガスが注入される。 
【００３０】
本実施形態のＰＤＰはスキャン電極(Ｙ)とアドレス電極(Ｘ)の間の対向放電により発光させようとする放電セルを選択した後、スキャン電極(Ｙ)及びサステイン電極(Ｚ)の間の面放電により放電を維持する。ＰＤＰセルでは維持放電時に発生される紫外線により蛍光体が発光することによって可視光が放電セルの外に放出される。この結果、放電セルを持つＰＤＰは画像を表示する。 
【００３１】
このような本発明の実施形態に係るＰＤＰは、蛍光体が放電の時に発生される短い波長の真空紫外線により励起されて固有色の可視光線を発生する。したがって各放電セルは、光の３原色である赤色、緑色、青色(Ｒ，Ｇ，Ｂ)を表示するようになる。この時、真空紫外線は主に放電セルの中央部で発生されるから放電セルの中央部に近いほど可視光変換效率が上昇する。
【００３２】
本発明の実施形態に係るＰＤＰは、赤色(Ｒ)、緑色(Ｇ)、青色(Ｂ)それぞれの放電セルの間の横隔壁１２４の幅を異ならせて赤色(Ｒ)、緑色(Ｇ)、青色(Ｂ)放電セルの放電空間を異なるように形成して色温度特性を向上させて色座標を補正している。。すなわち、緑色(Ｇ)放電セルの放電空間をふやすことによって緑色(Ｇ)放電セルの発光輝度を従来より高くしている。なお青色(Ｂ)放電セルの放電空間は他の放電セルの放電空間に比べて大きいので青色(Ｂ)放電セルの発光輝度も従来より増加させることができる。したがって、本発明の実施形態に係るＰＤＰは高精細パネルで駆動電圧と輝度／效率特性に影響を及ぼさずに色温度特性を向上させて、色座標を補正することができる。 
【００３３】
上述したように、本発明の実施形態に係るプラズマディスプレイパネルは赤色、緑色、青色それぞれの放電セルごとに互いに異なる幅を持つ横隔壁を形成させている。これによって、本発明は高精細パネルで駆動電圧と輝度／效率特性に影響を及ぼさずに、色温度特性を向上させかつ色座標を補正することができる。 
【００３４】
以上説明した内容を通じて当業者であれば本発明の技術思想を逸脱しない範囲で多様な変更及び修正ができる。したがって、本発明の技術的範囲は明細書の詳細な説明に記載した内容に限定されるのではなく特許請求の範囲により決められなければならない。 
【図面の簡単な説明】
【００３５】
【図１】通常のプラズマディスプレイパネルの放電セルを示す斜視図。
【図２】図１に図示された対称構造を持つ放電セルを示す平面図。
【図３】図１に図示された非対称構造を持つ放電セルを示す平面図。
【図４】本発明の実施形態に係るプラズマディスプレイパネルの斜視図。
【図５】図４に図示されたプラズマディスプレイパネルの平面図。
【符号の説明】
【００３６】
１０、５０:上部基板、Ｙ:スキャン電極、Ｚ:サステイン電極、Ｘ:アドレス電極、１２Ｙ、５２Ｙ:第１透明電極、１２Ｚ、５２Ｚ:第２透明電極、１３Ｙ、５３Ｙ:第１バス電極、１３Ｚ、５３Ｙ:第２バス電極、１４、５４、６２:誘電体層、１６、５６:保護膜、１８、６８:下部基板、２４、６４:隔壁、２６:蛍光体層、７０:横隔壁、７０a乃至７０c:第１乃至第３横隔壁、７２:縦隔壁 
【図１】
2005197260.tif 000003
【図２】
2005197260.tif 000004
【図３】
2005197260.tif 000005
【図４】
2005197260.tif 000006
【図５】
2005197260.tif 000007